(57)【要約】【課題】操作荷重の軽減や操作速度の変更に対応できるブラインドの操作装置をコンパクトにすることの可能なブラインドの操作装置を提供する。【解決手段】ブラインド１００の操作装置１６０は、スラット１３０を開閉駆動する駆動部１６１に駆動力を伝達可能なプーリ１６２を備え、プーリ１６２は操作コード１７０が巻き掛けられる巻掛部１６２ａを有し、巻掛部１６２ａは回転方向によって拡径又は縮径されることを特徴とする。かかる構成によれば、操作荷重の軽減や操作速度の変更に対応できるブラインドの操作装置をコンパクトにすることが可能である。【選択図】図２
2019078121.tif 000002
【特許請求の範囲】
【請求項１】
遮蔽材を開閉駆動する駆動部に駆動力を伝達可能なプーリを備え、
前記プーリは操作コードが巻き掛けられる巻掛部を有し、
前記巻掛部は回転方向によって拡径又は縮径されることを特徴とする、ブラインドの操作装置。
【請求項２】
前記巻掛部は、周方向に複数に分割されており、前記各巻掛部が径方向に移動することで拡径又は縮径されることを特徴とする、請求項１にブラインドの操作装置。
【請求項３】
前記巻掛部の径方向への移動を案内する案内部材を備え、
前記巻掛部が前記案内部材に対して相対回転すると、前記各巻掛部は前記案内部材の作用で径方向に移動することを特徴とする、請求項２に記載のブラインドの操作装置。
【請求項４】
前記巻掛部と前記案内部材には、一方に案内溝、他方に前記案内溝に沿って案内される突部が設けられ、
前記突部が前記案内溝に沿って案内されるときは前記巻掛部と前記案内部材とが相対回転可能であり、
前記突部が前記案内溝と係合したときは前記巻掛部と前記案内部材とが一体回転可能であることを特徴とする、請求項３に記載のブラインドの操作装置。
【請求項５】
前記巻掛部と一体回転するとともに前記巻掛部の径方向への移動を補助するサポート部材を備えたことを特徴とする、請求項２〜４のいずれかに記載のブラインドの操作装置。
【請求項６】
前記操作コードを前記巻掛部の外周面に押し付けるコード押さえを備えたことを特徴とする、請求項１〜５のいずれかに記載のブラインドの操作装置。
【発明の詳細な説明】
【技術分野】
【０００１】
本発明は、ブラインドの操作装置に関する。
【背景技術】
【０００２】
従来のブラインドの操作装置として、特開２００８−８８６２６号公報（特許文献１）に示されるものがある。同文献に開示されるブラインドの操作装置は、ブラインド上昇方向に対応するブラインド上昇回転方向とブラインド下降方向に対応するブラインド下降回転方向のいずれかの回転が伝達される入力軸と、遮蔽材を昇降するための昇降軸に連結される出力軸とを備える。そして、入力軸のブラインド上昇回転方向の回転に対して、入力軸と遊星歯車機構との間に設けられる第３構成要素を回転不能として、第１構成要素から第２構成要素に減速された回転を伝達するとともに、入力軸のブラインド下降回転方向の回転に対して、入力軸の回転を遊星歯車機構の全ての構成要素に伝達して、出力軸に入力軸と同速の回転を伝達するように切り替えるクラッチ機構を備える。
【０００３】
これによれば、操作部から上昇回転方向の回転が入力軸に伝達されたときには、遊星歯車機構によって減速された回転が出力軸に出力されて操作荷重が軽くなり、軽快な操作感が得られ、操作部から下降回転方向の回転が入力軸に伝達されたときには、遊星歯車機構が無効化されて、出力軸には入力軸と同速の回転が伝達され、遮蔽材の下降スピードを遅延させることがなく、上昇操作時よりも速いスピードで遮蔽材を下降できるという効果を有する。
【先行技術文献】
【特許文献】
【０００４】
【特許文献１】特開２００８−８８６２６号公報
【発明の概要】
【発明が解決しようとする課題】
【０００５】
しかしながら、従来のブラインドの操作装置では、操作荷重の軽減や操作速度の変更に対応できるようにするために、入力軸と出力軸との間に遊星歯車機構を介在させるため、操作装置としてヘッドボックス内での取り付けスペースが大きくなるという課題があった。
【０００６】
そこで本発明は、このような問題に鑑みてなされたもので、その目的とするところは、操作荷重の軽減や操作速度の変更に対応できるブラインドの操作装置をコンパクトにすることの可能なブラインドの操作装置を提供することにある。
【課題を解決するための手段】
【０００７】
上記課題を解決するために、本発明によれば、遮蔽材を開閉駆動する駆動部に駆動力を伝達可能なプーリを備え、前記プーリは操作コードが巻き掛けられる巻掛部を有し、前記巻掛部は回転方向によって拡径又は縮径されることを特徴とする、ブラインドの操作装置が提供される。
【０００８】
かかる構成によれば、プーリの巻掛部を、巻掛部の回転方向、すなわち操作コードの操作方向によって拡径又は縮径可能とすることで、操作コードの操作量に対するプーリの回転量を操作方向によって異なるものとすることができ、操作荷重の軽減や操作速度の変更に対応できる。そして、巻掛部の径の変化によって操作荷重の軽減や操作速度の変更に対応するため、特許文献１のような遊星歯車機構を介在させる必要がなく、操作装置としてコンパクトに納めることができる。
【０００９】
本発明は様々な応用が可能である。以下の応用例は適宜組み合わせることが可能である。
例えば、前記巻掛部は、周方向に複数に分割されており、前記各巻掛部が径方向に移動することで拡径又は縮径されるようにしてもよい。かかる構成により、巻掛部の回転方向、すなわち操作コードの操作方向によって、複数に分割された巻掛部が拡径又は縮径方向に移動することで、操作方向に応じた操作量の変化に対応できる。
【００１０】
また、前記巻掛部の径方向への移動を案内する案内部材を備え、前記巻掛部が前記案内部材に対して相対回転すると、前記各巻掛部は前記案内部材の作用で径方向に移動するようにしてもよい。巻掛部と相対回転可能な案内部材を設け、巻掛部が案内部材に対して相対回転しながら径方向に移動可能とすることで、安定して動作させることができる。
【００１１】
前記巻掛部と前記案内部材には、一方に案内溝、他方に前記案内溝に沿って案内される突部が設けられ、前記突部が前記案内溝に沿って案内されるときは前記巻掛部と前記案内部材とが相対回転可能であり、前記突部が前記案内溝と係合したときは前記巻掛部と前記案内部材とが一体回転可能であるようにしてもよい。各巻掛部と案内部材との間には、一方に案内溝、他方に案内溝に沿って案内される突部を設けることで、各巻掛部を均等に径方向に移動させることが可能となる。
【００１２】
前記巻掛部と一体回転するとともに前記巻掛部の径方向への移動を補助するサポート部材を備えるようにしてもよい。サポート部材は巻掛部と一体回転しながら巻掛部の径方向への移動を補助することで、安定して動作させることができる。
【００１３】
前記操作コードを前記巻掛部の外周面に押し付けるコード押さえを備えるようにしてもよい。コード押さえを設けることで、操作コードが巻掛部に押し付けられるため、操作コードの操作力を安定してプーリに伝達できる。
【発明の効果】
【００１４】
本発明によれば、操作荷重の軽減や操作速度の変更に対応できるブラインドの操作装置をコンパクトにすることができる。本発明のその他の効果については、後述する発明を実施するための形態においても説明する。
【図面の簡単な説明】
【００１５】
【図１】第１の実施形態のブラインド１００の全体構成を示す正面図である。
【図２】操作装置１６０の構成を説明するための図であり、（ａ）はプーリ１６２からサポート部材１６５を取り外した状態を示す斜視図であり、（ｂ）はプーリ１６２にサポート部材１６５を取り付けた状態を示す斜視図である。
【図３】操作装置１６０の構成を説明するための図であり、（ａ）は巻掛部１６２ａが縮径したときの状態を示す断面図であり、（ｂ）は巻掛部１６２ａが拡径したときの状態を示す断面図である。
【図４】操作装置１６０の動作を説明するための図であり、（ａ）は縮径した巻掛部１６２ａの状態を示す正面図であり、（ｂ）は拡径した巻掛部１６２ａの状態を示す正面図である。
【図５】操作装置１６０の動作を説明するための図であり、（ａ）は縮径したときの巻掛部１６２ａとサポート部材１６５の状態を示す正面図であり、（ｂ）は拡径したときの巻掛部１６２ａとサポート部材１６５の状態を示す正面図である。
【図６】第２の実施形態の操作装置２６０を説明するための図であり、（ａ）は巻掛部２６２ａが縮径した状態を示す正面図であり、（ｂ）は巻掛部２６２ａが拡径した状態を示す正面図である。
【図７】第３の実施形態の操作装置３６０を説明するための図であり、（ａ）は巻掛部３６２ａが縮径した状態を示す正面図であり、（ｂ）は巻掛部３６２ａが拡径した状態を示す正面図である。
【発明を実施するための形態】
【００１６】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１７】
（第１の実施形態）
本発明の第１の実施形態について説明する。まず、本実施形態に係るブラインド１００の全体構成について、図１を参照しながら説明する。図１は、実施形態に係るブラインド１００の全体構成を説明するための正面図である。
【００１８】
本実施形態のブラインド１００は、図１に示したように、図示していない窓枠や天井等に固定されるヘッドボックス１１０と、ヘッドボックス１１０から垂下するラダーコード１２０と、ラダーコード１２０によって整列状態に支持される複数のスラット１３０と、複数のスラット１３０を昇降する昇降コード１４０と、ラダーコード１２０の下端及び昇降コード１４０の下端が連結されるボトムレール１５０と、ヘッドボックス１１０の一端に設けられ、複数のスラット１３０の昇降及び回転を操作する操作装置１６０と、操作装置１６０から垂下し、操作装置１６０を操作する操作コード１７０と、を備えて構成される。以下、各構成要素について詳細に説明する。
【００１９】
ヘッドボックス１１０は、前述のように窓枠や天井等にブラケット１１１を介して固定される。ヘッドボックス１１０内には、図１に示したように、長手方向ほぼ全長にわたって回転軸１１２が回転可能に配設されている。回転軸１１２の一端は操作装置１６０に連結されている。回転軸１１２は、操作コード１７０の操作によって操作装置１６０を介して回転が操作される。
【００２０】
また、ヘッドボックス１１０内には、図１に示したように、ラダーコード１２０及び昇降コード１４０を巻取り及び巻解き可能な巻取ドラム１１４が長手方向に等間隔に配置されている。巻取ドラム１１４は、ヘッドボックス１１０に固定されたドラム受け１１６に回転可能に支持されており、巻取ドラム１１４には、回転軸１１２が一体に回転するように貫通している。
【００２１】
ラダーコード１２０は、スラット１３０を回転可能に支持するものである。ラダーコード１２０は、図１に示したように、複数のスラット１３０を整列状態に支持している。ラダーコード１２０の上端は巻取ドラム１１４に連結される。ラダーコード１２０と巻取ドラム１１４との構成は一般的なブラインドと同様である。ラダーコード１２０の下端はボトムレール１５０に連結される。
【００２２】
スラット１３０は、開口部を遮蔽したり開放したりする遮蔽材である。複数のスラット１３０は、図１に示したように、ラダーコード１２０によって整列状態に支持されており、ラダーコード１２０が傾動することによって回転する。
【００２３】
昇降コード１４０は、スラット１３０を昇降させるものである。昇降コード１４０は、図１に示したように、上端が巻取ドラム１１４に巻取り及び巻解き可能に連結される。昇降コード１４０の下端は、スラット１３０を挿通するか、スラット１３０の側部を通ってボトムレール１５０に連結される。昇降コード１４０は、巻取ドラム１１４の回転によって、昇降コード１４０に巻取り又は巻解かれてボトムレール１５０が昇降することにより、スラット１３０を昇降する。
【００２４】
ボトムレール１５０は、ラダーコード１２０及び昇降コード１４０に張力を与えるものである。ボトムレール１５０は、図１に示したように、最下段のスラット１３０の下方に設けられて、ラダーコード１２０及び昇降コード１４０の下端が連結される。
【００２５】
（操作装置１６０）
本実施形態に特徴的な操作装置１６０について説明する。操作装置１６０は、複数のスラット１３０の昇降及び回転を操作するものである。操作装置１６０は、図１に示したように、ヘッドボックス１１０の一端に設けられており、回転軸１１２の一端に駆動力を伝達可能に連結されている。
【００２６】
操作装置１６０の各部の構成を、図２及び図３を参照しながら説明する。図２は、操作装置１６０の構成を説明するための図であり、（ａ）はプーリ１６２からサポート部材１６５を取り外した状態を示す斜視図であり、（ｂ）はプーリ１６２にサポート部材１６５を取り付けた状態を示す斜視図である。図３は、操作装置１６０の構成を説明するための図であり、（ａ）は巻掛部１６２ａが縮径したときの状態を示す断面図であり、（ｂ）は巻掛部１６２ａが拡径したときの状態を示す断面図である。
【００２７】
操作装置１６０は、図２に示したように、スラット１３０を開閉駆動する駆動部１６１に駆動力を伝達可能なプーリ１６２を備え、プーリ１６２は操作コード１７０が巻き掛けられる巻掛部１６２ａを有し、巻掛部１６２ａは回転方向によって拡径又は縮径される。さらに、操作装置１６０は、巻掛部１６２ａの径方向への移動を案内する案内部材１６３と、操作コード１７０を巻掛部１６２ａの外周面に押し付けるコード押さえ１６４と、巻掛部１６２ａと一体回転するとともに巻掛部１６２ａの径方向への移動を補助するサポート部材１６５と、プーリ１６２やサポート部材１６５の脱落を防止する脱落防止部材１６６とを備える。
【００２８】
（駆動部１６１）
駆動部１６１は、回転軸１１２に回転を伝達するものである。駆動部１６１は、図２（ａ）に示したように、ケース１６７内に配設されており、回転軸１１２に回転を伝達する回転伝達軸１６１ａを中心に備える。回転伝達軸１６１ａは、プーリ１６２の方向に突出しており、外周にプーリ１６２が配設される。また、駆動部１６１は、巻掛部１６２ａの径方向への移動を案内する、後述する案内部材１６３を備える。
【００２９】
（プーリ１６２）
プーリ１６２は、操作コード１７０の操作を駆動部１６１に伝達するものである。プーリ１６２は、図２（ａ）に示したように、操作コード１７０が巻き掛けられる巻掛部１６２ａを有する。プーリ１６２は駆動部１６１の案内部材１６３に並設されており、中心には回転伝達軸１６１ａが相対回転自在に挿通している。プーリ１６２は、周方向に３つのピース１６２−１、１６２−２、１６２−３に分割されている。３つのピース１６２−１、１６２−２、１６２−３が径方向に移動することで巻掛部１６２ａが拡径又は縮径される。プーリ１６２は、案内部材１６３に対して相対回転すると、案内部材１６３の作用によって各巻掛部１６２ａの径方向への移動が案内される。なお、ここで言うプーリ１６２の案内部材１６３に対する相対回転とは、軸心が同軸でない回転も含むものとする。
【００３０】
３つのピース１６２−１、１６２−２、１６２−３の側部には、案内溝１６２ｂがそれぞれ形成されている。案内溝１６２ｂは、図３（ａ）に示したように、円弧状をしており、右端部から回転中心までの長さＲ１が、左端部から回転中心までの長さＲ２よりも短く、回転中心に対して傾いている。案内溝１６２ｂには、案内溝１６２ｂに沿って案内される後述の案内部材１６３の突部１６３ａが配置される。
【００３１】
３つのピース１６２−１、１６２−２、１６２−３のサポート部材１６５と対向する面には、図２（ａ）に示したように、サポート部材１６５によって径方向への移動が補助されるガイド突部１６２ｃが軸方向に突出してそれぞれ設けられている。
【００３２】
（案内部材１６３）
案内部材１６３は、巻掛部１６２ａの径方向への移動を案内するものである。案内部材１６３は、図２に示したように、円板状であり、中心に回転伝達軸１６１ａが貫通して、回転伝達軸１６１ａと一体回転する。案内部材１６３には、図３に示したように、円周方向に等間隔に３つの突部１６３ａが軸方向に突出して設けられている。突部１６３ａは、プーリ１６２の案内溝１６２ｂにそれぞれ配置され、案内溝１６２ｂの全長にわたって移動可能である。突部１６３ａが案内溝１６２ｂに沿って案内されるときは巻掛部１６２ａと案内部材１６３とが相対回転可能であり、突部１６３ａが案内溝１６２ｂと係合したときは巻掛部１６２ａと案内部材１６３とが一体回転可能である。
【００３３】
（コード押さえ１６４）
コード押さえ１６４は、操作コード１７０を巻掛部１６２ａの外周面に押し付けて、操作コード１７０の操作力を安定してプーリ１６２に伝達できるようにするものである。コード押さえ１６４は、図２に示したように、ケース１６７の上部両角部に設けられている。コード押さえ１６４は、扇形に形成されており、操作コード１７０を押圧する面が円弧状である。コード押さえ１６４の幅は、巻掛部１６２ａの幅よりも小さく巻掛部１６２ａからはみ出さない。よって、コード押さえ１６４は、後述するサポート部材１６５に干渉しない。
【００３４】
コード押さえ１６４は、図３に示したように、凹状に形成されたバネ収容部１６４ａにバネ１６４ｂが配置されている。バネ１６４ｂは、上端がケース１６７に接しており、下端がバネ収容部１６４ａの底面に接している。コード押さえ１６４は、バネ１６４ｂの弾性力により巻掛部１６２ａの方向に押圧されている。コード押さえ１６４は、図３（ａ）に示したように、巻掛部１６２ａが縮径しているときは、バネ１６４ｂが伸長して突出し、図３（ｂ）に示したように、巻掛部１６２ａが拡径しているときは、バネ１６４ｂが縮んで引っ込む。よって、巻掛部１６２ａの拡径又は縮径にかかわらず、操作コード１７０を巻掛部１６２ａに押し付けることができる。
【００３５】
（サポート部材１６５）
サポート部材１６５は、巻掛部１６２ａと一体回転するとともに巻掛部１６２ａの径方向への移動を補助するものである。サポート部材１６５は、図２（ａ）に示したように、ドーナツ形状をしており、プーリ１６２のガイド突部１６２ｃが配置される径方向ガイド溝１６５ａが設けられている。径方向ガイド溝１６５ａは、円周方向において等間隔に３か所に設けられており、外周から中心まで径方向に直線状に延びている。よって、ガイド突部１６２ｃは径方向ガイド溝１６５ａに案内されて巻掛部１６２ａを径方向に移動させる。
【００３６】
サポート部材１６５は、図２（ｂ）に示したように、中心を回転伝達軸１６１ａが貫通して、プーリ１６２に並設される。サポート部材１６５は、径方向ガイド溝１６５ａにプーリ１６２のガイド突部１６２ｃが配置されて、プーリ１６２と一体に回転する。サポート部材１６５を貫通した回転伝達軸１６１ａには、脱落防止部材１６６が嵌め合わされて、サポート部材１６５がプーリ１６２から離間したり、サポート部材１６５が回転伝達軸１６１ａから脱落したりすることが防止されている。
【００３７】
以上、本実施形態に特徴的な操作装置１６０について説明した。未説明の操作コード１７０は、操作装置１６０を操作して、スラット１３０の昇降及び回転を操作するものである。操作コード１７０は、図１に示したように、無端状のコードであり、プーリ１６２の巻掛部１６２ａに巻きかけられて、プーリ１６２を回転駆動する。
【００３８】
以上、本実施形態のブラインド１００の構成について説明した、次に、ブラインド１００の動作について図４及び図５を参照しながら説明する。図４は、操作装置１６０の動作を説明するための図であり、（ａ）は縮径した巻掛部１６２ａの状態を示す正面図であり、（ｂ）は拡径した巻掛部１６２ａの状態を示す正面図である。図５は、操作装置１６０の動作を説明するための図であり、（ａ）は縮径したときの巻掛部１６２ａとサポート部材１６５の状態を示す正面図であり、（ｂ）は拡径したときの巻掛部１６２ａとサポート部材１６５の状態を示す正面図である。
【００３９】
（スラット１３０の下降）
スラット１３０を下降させるときには、図４（ａ）に示したように、下側の操作コード１７０ａを図４（ａ）の矢印Ａ方向に引き出す。すると、プーリ１６２が図４（ａ）の矢印Ｂ方向に回転する。このとき、案内部材１６３の突部１６３ａがプーリ１６２の案内溝１６２ｂの反時計回り方向の端部に当接していないときはプーリ１６２のみが回転し、プーリ１６２と案内部材１６３とは相対回転する。よって、突部１６３ａが案内溝１６２ｂを移動し、プーリ１６２の各ピース１６２−１、１６２−２、１６２−３は回転伝達軸１６１ａに接近するように径方向に移動する。また、各ピース１６２−１、１６２−２、１６２−３の径方向への移動は、図５（ａ）に示したように、径方向ガイド溝１６５ａに沿ってガイド突部１６２ｃが移動するため、サポート部材１６５からもサポートされる。
【００４０】
図４（ａ）に示したように、突部１６３ａが案内溝１６２ｂの反時計回り方向の端部に当接すると、巻掛部１６２ａは縮径した状態となり、プーリ１６２と案内部材１６３とが一体に回転するようになる。巻掛部１６２ａが縮径すると、コード押さえ１６４は、バネ１６４ｂが伸長して突出し、操作コード１７０を巻掛部１６２ａに押え付けるため、操作コード１７０の操作力が巻掛部１６２ａに伝達される。
【００４１】
このように、巻掛部１６２ａが縮径すると、操作量に対する回転量が大きくなるため早く操作できる一方、操作荷重が大きくなるが、スラット１３０を下降させるときは小さな操作荷重でよいため、小さな操作荷重で回転量を大きくして、早く操作することができる。
【００４２】
（スラット１３０の上昇）
スラット１３０を上昇させるときには、図４（ｂ）に示したように、上側の操作コード１７０ｂを図４（ｂ）の矢印Ｃ方向に引き出す。すると、プーリ１６２が図４（ｂ）の矢印Ｄ方向に回転する（上記Ｂ方向とは逆回転）。このとき、プーリ１６２のみが回転し、プーリ１６２と案内部材１６３とは相対回転する。よって、突部１６３ａが案内溝１６２ｂを移動し、プーリ１６２の各ピース１６２−１、１６２−２、１６２−３は回転しながら、回転伝達軸１６１ａから離間するように径方向に移動する。また、各ピース１６２−１、１６２−２、１６２−３の径方向への移動は、図５（ｂ）に示したように、径方向ガイド溝１６５ａに沿ってガイド突部１６２ｃが移動するため、サポート部材１６５からもサポートされる。
【００４３】
突部１６３ａが案内溝１６２ｂの時計回り方向の端部に当接すると、巻掛部１６２ａは拡径した状態となり、プーリ１６２と案内部材１６３とが一体に回転するようになる。巻掛部１６２ａが拡径すると、コード押さえ１６４は、バネ１６４ｂが縮んで引っ込み、操作コード１７０を巻掛部１６２ａに押え付ける。このため、操作コード１７０の操作力が巻掛部１６２ａに伝達される。
【００４４】
このように、巻掛部１６２ａが拡径すると、操作量に対する回転量が小さくなるため軽い力で操作できる。スラット１３０を上昇させるときは大きな操作荷重が必要になるが、巻掛部１６２ａが拡径するため、軽い力で操作することができる。
【００４５】
（第１の実施形態の効果）
以上説明したように、本実施形態によれば、プーリ１６２の巻掛部１６２ａを、回転方向、すなわち操作コード１７０の操作方向によって拡径あるいは縮径可能とすることで、操作コード１７０の操作量に対するプーリ１６２の回転量を操作方向によって異なるものとすることができ、操作荷重の軽減や操作速度の変更に対応できる。
【００４６】
また、巻掛部１６２ａの径の変化によって操作荷重の軽減や操作速度の変更に対応するため、特許文献１のような遊星歯車機構を介在させる必要がなく、操作装置１６０としてコンパクトに納めることができる。
【００４７】
また、巻掛部１６２ａの回転方向、すなわち操作コード１７０の操作方向に応じて、複数に分割された巻掛部１６２ａが拡径又は縮径方向に移動することで、操作方向に応じた操作量の変化に対応できる。
【００４８】
また、巻掛部１６２ａと相対回転可能な案内部材１６３を設け、巻掛部１６２ａが案内部材１６３に対して相対回転しながら径方向に移動可能とすることで、安定して動作させることができる。
【００４９】
また、各巻掛部１６２ａと案内部材１６３との間には、一方に案内溝１６２ｂ、他方に案内溝１６２ｂに沿って案内される突部１６３ａを設けることで、各巻掛部１６２ａを均等に径方向に移動させることが可能となる。
【００５０】
また、巻掛部１６２ａと一体回転可能なサポート部材１６５を設け、巻掛部１６２ａがサポート部材１６５と一体回転しながら径方向への移動が補助されることで、安定して動作させることができる。
【００５１】
また、コード押さえ１６４を設けることで、操作コード１７０が巻掛部１６２ａに押し付けられるため、操作コード１７０の操作力を安定してプーリ１６２に伝達できる。
【００５２】
（第２の実施形態）
第２の実施形態に係るブラインドの操作装置２６０について、図６を参照しながら説明する。図６は、本実施形態の操作装置２６０を説明するための図であり、（ａ）は巻掛部２６２ａが縮径した状態を示す正面図であり、（ｂ）は巻掛部２６２ａが拡径した状態を示す正面図である。本実施形態は、上記第１の実施形態とはコード押さえ２６４が異なるものである。本実施形態では、上記第１の実施形態と異なる点を中心に説明する。実質的に同一の機能構成を有する構成要素については、同一の符号を付することにより重複説明を省略する。
【００５３】
本実施形態の巻掛部２６２ａ、操作コード２７０は、第１の実施形態の巻掛部１６２ａ、操作コード１７０に対応するため、説明を省略する。
【００５４】
コード押さえ２６４は、図６に示したように、第１の実施形態では扇形であったものをローラ２６４ａに代えたものである。ローラ２６４ａの端部には第１の実施形態のバネ１６４ｂと同様の作用を有するバネ２６４ｂが設けられている。ローラ２６４ａは、バネ２６４ｂの弾性力により巻掛部２６２ａの拡径又は縮径にかかわらず操作コード２７０に押し付けられる。
【００５５】
（第２の実施形態の効果）
以上説明したように、本実施形態によれば、第１の実施形態の効果に加えて、コード押さえ２６４をローラ２６４ａにしたことにより、操作コード２７０の移動時に操作コード２７０に加わる摩擦を低減することができる。
【００５６】
（第３の実施形態）
第３の実施形態に係るブラインドの操作装置３６０について、図７を参照しながら説明する。図７は、本実施形態の操作装置３６０を説明するための図であり、（ａ）は巻掛部３６２ａが縮径した状態を示す正面図であり、（ｂ）は巻掛部３６２ａが拡径した状態を示す正面図である。本実施形態は、上記第１の実施形態とはプーリ３６２が分割される数が異なるものである。本実施形態では、上記第１の実施形態と異なる点を中心に説明する。実質的に同一の機能構成を有する構成要素については、同一の符号を付することにより重複説明を省略する。
【００５７】
本実施形態のプーリ３６２、案内溝３６２ｂ、案内部材３６３、突部３６３ａ、操作コード３７０は、第１の実施形態のプーリ１６２、案内溝１６２ｂ、案内部材１６３、突部１６３ａ、操作コード１７０に対応するため、説明を省略する。
【００５８】
プーリ３６２は、図７に示したように、第１の実施形態のプーリ１６２が３分割であったものを６分割にし、６つのピース３６２−１、３６２−２、３６２−３、３６２−４、３６２−５、３６２−６で構成したものである。プーリ３６２を６つのピースで構成したため、隣り合うピース同士の間隔が第１の実施形態の３分割のプーリ１６２よりも狭くなる。よって、拡径した巻掛部３６２ａの形状がより円形に近づく。
【００５９】
各ピース３６２−１、３６２−２、３６２−３、３６２−４、３６２−５、３６２−６には、案内溝３６２ｂがそれぞれ設けられている。また、案内溝３６２ｂの数に対応して案内部材３６３に突部３６３ａが６つ設けられる。
【００６０】
（第３の実施形態の効果）
以上説明したように、本実施形態によれば、第１の実施形態の効果に加えて、拡径した巻掛部３６２ａの形状がより円形に近づくため、操作コード３７０によるプーリ３６２の回転が円滑になる。
【００６１】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００６２】
例えば、上記実施形態では、巻掛部１６２ａ（２６２ａ、３６２ａ）は、周方向に複数に分割されており、各巻掛部１６２ａ（２６２ａ、３６２ａ）が径方向に移動することで拡径又は縮径される構成としたが、本発明はこの例に限定されない。
【００６３】
また、上記実施形態では、巻掛部１６２ａ（２６２ａ、３６２ａ）は、案内部材と相対回転することで径方向へ移動する構成としたが、本発明はこの例に限定されない。例えば、巻掛部は、案内部材と相対回転することなく径方向へ移動したり、回転することなく径方向へ移動したりするようにしてもよい。
【００６４】
また、上記実施形態では、巻掛部１６２ａ（２６２ａ、３６２ａ）と案内部材１６３（３６３）には、一方に案内溝１６２ｂ（３６２ｂ）、他方に案内溝１６２ｂ（３６２ｂ）に沿って案内される突部１６３ａ（３６３ａ）が設けられ、突部１６３ａ（３６３ａ）が案内溝１６２ｂ（３６２ｂ）に沿って案内されるときは巻掛部１６２ａ（２６２ａ、３６２ａ）と案内部材１６３（３６３）とが相対回転可能であり、突部１６３ａ（３６３ａ）が案内溝と係合したときは巻掛部１６２ａ（２６２ａ、３６２ａ）と案内部材１６３（３６３）とが一体回転可能である構成としたが、本発明は、この例に限定されず、適宜構成とすることができる。
【００６５】
また、上記実施形態では、操作コード１７０（２７０、３７０）を巻掛部１６２ａ（２６２ａ、３６２ａ）の外周面に押し付けるコード押さえ１６４（２６４）を備えた構成としたが、本発明は、この例に限定されず、コード押さえは必ずしも設けなくてもよい。
【００６６】
上記実施形態、応用例、変形例は、任意に組み合わせて実施することができる。
【符号の説明】
【００６７】
１００  ブラインド
１１０  ヘッドボックス
１１２  回転軸
１１４  巻取ドラム
１１６  ドラム受け
１２０  ラダーコード
１３０  スラット
１４０  昇降コード
１５０  ボトムレール
１６０、２６０、３６０  操作装置
１６１  駆動部
１６１ａ  回転伝達軸
１６２、３６２  プーリ
１６２−１、１６２−２、１６２−３、３６２−１、３６２−２、３６２−３、３６２−４、３６２−５、３６２−６  ピース
１６２ａ、２６２ａ、３６２ａ  巻掛部
１６２ｂ、３６２ｂ  案内溝
１６２ｃ  ガイド突部
１６３、３６３  案内部材
１６３ａ、３６３ａ  突部
１６４、２６４  コード押さえ
１６４ａ  バネ収容部
１６４ｂ、２６４ｂ  バネ
１６５  サポート部材
１６５ａ  径方向ガイド溝
１６６  脱落防止部材
１６７  ケース
１７０、１７０ａ、１７０ｂ、２７０、３７０  操作コード
２６４ａ  ローラ
【図１】
2019078121.tif 000003
【図２】
2019078121.tif 000004
【図３】
2019078121.tif 000005
【図４】
2019078121.tif 000006
【図５】
2019078121.tif 000007
【図６】
2019078121.tif 000008
【図７】
2019078121.tif 000009